(57)【要約】      （修正有）【課題】検出用の光等を一部透過するステントを精度よく検出できるステント検出装置、ステント画像表示装置、およびそのプログラムと方法を提供する。【解決手段】ステント検出装置を、ラインデータからステントである確度が高い高確度ステントエッジ点を高輝度の閾値を用いて検出する高確度検出処理と、高確度の閾値よりも輝度の低い低輝度の閾値を用いてステントエッジ候補点を検出する低確度検出処理と、高確度ステントエッジ点の近傍の前記ステントエッジ候補点を高確度ステントエッジ点と判定する処理を繰り返して高精度のステントエッジ検出を行う。【選択図】図５
2015150369.tif 000002
【特許請求の範囲】
【請求項１】
ステントが留置されている管状器官の内部に挿入したプローブの軸径方向に検出値を記録したラインデータを前記管状器官の全周でまとめた二次元断層データとして軸方向へ複数集めた走査データを取得するデータ取得手段と、
ステントを検出するステント検出手段とを備え、
前記ステント検出手段は、
前記ラインデータからステントである確度が高い高確度ステントエッジ点を高輝度の閾値を用いて検出する高確度検出処理と、
前記高確度の閾値よりも輝度の低い低輝度の閾値を用いてステントエッジ候補点を検出する低確度検出処理と、
前記高確度ステントエッジ点の近傍の前記ステントエッジ候補点を高確度ステントエッジ点と判定する処理を繰り返して高精度のステントエッジ検出を行う精度向上処理とを実行する構成である
ステント検出装置。
【請求項２】
前記ステントの軸径方向の厚みよりも長い範囲で所定の輝度値を所定量有することを条件とする判定条件により血管内壁境界点候補を検出する血管内壁境界検出手段と、
検出した血管内壁境界点候補からステントエッジ部分を除外して血管内壁境界点を求めるステントエッジ除外手段を備え、
前記ステント検出手段による高確度検出処理および低確度検出処理は、前記血管内壁境界点より前記プローブ側で高確度ステントエッジ点およびステントエッジ候補点を検出する構成である
請求項１記載のステント検出処理装置。
【請求項３】
前記二次元断層データにおいて、前記ステントの厚みを考慮して検出済みの高確度ステントエッジ点を外側に移動させるステント厚補正手段と、
移動後のステントエッジ点と前記血管内壁境界点に基づいて、ステント装着率を算出する装着率算出手段を備えた
請求項２記載のステント検出装置。
【請求項４】
前記移動後のステントエッジ点が存在しない角度については、当該二次元断層データの前または／および後ろの二次元断層データの前記高確度ステントエッジ点をもとにステントエッジ点を補充するステントエッジ補充手段を備え、
前記装着率算定手段は、前記補充したステントエッジ点も含めて前記ステント厚補正手段により移動したステントエッジ点を用いてステント装着率の算定を実行する構成である
請求項３記載のステント検出装置。
【請求項５】
前記ステント検出手段により検出した高確度ステントエッジ点と、前記ステントエッジ補充手段によって補充したステントエッジ点に基づいて、ステントエッジの検出も補充もできなかった角度にステントエッジの補間を行うステントエッジ補間手段を備え、
前記装着率算出手段は、前記ステントエッジ補間手段により補間されたステントエッジを用いてステント装着率の算定を実行する構成である
請求項４記載のステント検出装置。
【請求項６】
ステントと血管内壁境界の一致度を表すステント装着率を算出する装着率算出手段と、
前記ステント装着率を軸方向に並べてグラフ表示する装着率グラフ表示手段と、
前記装着率グラフ表示手段に表示されたグラフ上で軸方向の任意の位置の指定入力を受け付ける位置指定入力許容手段と、
前記位置指定入力手段で入力された位置の二次元断層画像を表示する二次元断層画像表示手段とを備えた
ステント画像表示装置。
【請求項７】
コンピュータを
ステントが留置されている管状器官の内部に挿入したプローブの軸径方向に検出値を記録したラインデータを前記管状器官の全周でまとめた二次元断層データとして軸方向へ複数集めた走査データを取得するデータ取得手段と、
前記ラインデータからステントを検出するステント検出手段として機能させ、
前記ステント検出手段に、
ステントである確度が高い高確度ステントエッジ点を高輝度の閾値を用いて検出する高確度検出処理と、
前記高確度の閾値よりも輝度の低い低輝度の閾値を用いてステントエッジ候補点を検出する低確度検出処理と、
前記高確度ステントエッジ点の近傍の前記ステントエッジ候補点を高確度ステントエッジ点と判定する処理を繰り返して高精度のステントエッジ検出を行う精度向上処理とを実行させる
ステント検出プログラム。
【請求項８】
ステントが留置されている管状器官の内部に挿入したプローブの軸径方向に検出値を記録したラインデータを前記管状器官の全周でまとめた二次元断層データとして軸方向へ複数集めた走査データをデータ取得手段により取得し、
前記ラインデータからステント検出手段によりステントを検出するステント検出方法であって、
前記ステント検出手段は、
ステントである確度が高い高確度ステントエッジ点を高輝度の閾値を用いて検出する高確度検出処理と、
前記高確度の閾値よりも輝度の低い低輝度の閾値を用いてステントエッジ候補点を検出する低確度検出処理と、
前記高確度ステントエッジ点の近傍の前記ステントエッジ候補点を高確度ステントエッジ点と判定する処理を繰り返して高精度のステントエッジ検出を行う精度向上処理とを実行する
ステント検出方法。
【発明の詳細な説明】
【技術分野】
【０００１】
この発明は、例えば管状器官内部に留置したステントを検出するようなステント検出装置、ステント画像表示装置、およびそのプログラムと方法に関する。
【背景技術】
【０００２】
従来、冠状動脈等の血管の狭窄を解消する治療として、血管内にステントを留置するステント治療が行われている。このステント治療では、治療前に最適なステントを決定すること、治療後のステントが適切に留置されて狭窄が解消しているかを確認することが求められる。
【０００３】
ここで、「光ファイバ撮像ガイドワイヤ、カテーテルまたは内視鏡を用いて工学測定を行う方法および装置」が提案されている（特許文献１参照）。この装置は、光学撮像による回転走査と縦方向走査を行い、断面画像を生成するものである。この文献には、ステントを留置した後に、血管造影図を得ることが記載されている。
【０００４】
このように光学撮像を用いる場合、金属材料によって形成されているステントは、光学撮像用の光を殆ど反射する。このため、ステントの向こう側にある血管からの反射は殆どなくなる。従って、血管とステントの輝度差が大きく、血管とステントを区別するための閾値を大きくとれる。
【０００５】
一方、近年は、術後に生体に吸収される素材で形成された生体吸収性ステントが提供されている。この生体吸収性ステントのように、非金属性であって金属よりも光の透過性に優れている素材で形成されたステントをＯＣＴにより撮像すると、血管との輝度差が金属ステントに比べて相当少ない。また、一部の光がステントを透過するために、装置から見てステントの向こう側に位置している血管部分も検出される。
【０００６】
従来の方法では、このような透過性のあるステントを適切に検出することはできず、またこのようなステントを適切に視覚化することもできなかった。
【先行技術文献】
【特許文献】
【０００７】
【特許文献１】特表２０００−５０３２３７号公報
【発明の概要】
【発明が解決しようとする課題】
【０００８】
この発明は、上述した問題に鑑み、検出用の光等を一部透過するステントを精度よく検出できるステント検出装置、ステント画像表示装置、およびそのプログラムと方法を提供することを目的とする。
【課題を解決するための手段】
【０００９】
この発明は、ステントが留置されている管状器官の内部に挿入したプローブの軸径方向（以下、半径方向という）に検出値を記録したラインデータを前記管状器官の全周でまとめた二次元断層データとして軸方向へ複数集めた走査データを取得するデータ取得手段と、前記ラインデータからステントを検出するステント検出手段とを備え、前記ステント検出手段は、ステントである確度が高い高確度ステントエッジ点を高輝度の閾値を用いて検出する高確度検出処理と、前記高確度の閾値よりも輝度の低い低輝度の閾値を用いてステントエッジ候補点を検出する低確度検出処理と、前記高確度ステントエッジ点の近傍の前記ステントエッジ候補点を高確度ステントエッジ点と判定する処理を繰り返して高精度のステントエッジ検出を行う精度向上処理とを実行する構成であるステント検出装置であることを特徴とする。またこの発明は、ステント検出装置を用いたステント画像表示装置、ステント検出処理プログラム、あるいはステント検出方法とすることができる。走査データを軸方向へ複数集める範囲は、プローブがプルバックできる距離や、操作者が定めた距離など、適宜定めた所定範囲とすることができる。
【発明の効果】
【００１０】
この発明により、検出用の光等を一部透過するステントを精度よく検出することができる。
【図面の簡単な説明】
【００１１】
【図１】光干渉断層撮影の基本構造の説明図。
【図２】検出装置と画像処理装置の構成を示すブロック図。
【図３】血管内壁境界とステントエッジを検出する様子の説明図。
【図４】ステントエッジ点の検出精度を向上するアルゴリズムの説明図。
【図５】ステント装着率を算出する様子の説明図。
【図６】ステントとステント装着率を表示する画面の説明図。
【発明を実施するための形態】
【００１２】
本発明者らは、光干渉断層撮影（ＯＣＴ：Ｏｐｔｉｃａｌ  Ｃｏｈｅｒｅｎｃｅ  Ｔｏｍｏｇｒａｐｈｙ）による検出データを用いて、生体吸収性ステントのように検出用の光を一部透過する非金属性のステントを精度よく検出する方法を研究した。この実施形態では、ポリマー性樹脂によって形成され、２年程度で生体に完全に吸収される生体吸収性ステントを検出する。図１は、光干渉断層撮影の基本構造と、光干渉断層撮影による二次元断層画像を説明する説明図である。
【００１３】
図１（Ａ）の拡大断面図に示すように、光干渉断層撮影は、管状器官である血管Ｂの内部にカテーテルＫを挿入し、カテーテルＫ内のプローブＰから半径方向（軸径方向）Ｗ２へ照射する近赤外線によってラインデータを取得し、このラインデータを半径方向Ｗ２の３６０°の全周について軸方向Ｗ１へ所定範囲集めた検出データを得る。３６０°分の検出データは、１ページの二次元断層画像を構成することができる。従って、検出データは、二次元断層画像が複数ページ集まっているデータである。本方法では、ステントＳを留置した後の血管Ｂ内で検出データを取得する。
【００１４】
図１（Ｂ）は、血管内に生体吸収性のステントＳを半径方向のある位置でプローブＰを３６０°回転させて取得した検出データによる二次元断層画像を示す。図示するように、検出データによる二次元断層画像は、検出データ表示画像Ｇ１（二次元断層データ）として表示され、プローブＰ、ガイドワイヤＧＹ、ステントＳ、および血管Ｂの存在する部分が、反射信号の強い高輝度画素として明るく表示されている。また、ステントＳの外側も血管Ｂが高輝度で映っている。
【００１５】
図示する生体吸収性のステントＳは、全体が図１（Ａ）に示したように網目状で円筒形に形成されている。そして、ステントＳの網目を構成している一本一本の線状部分は、図１（Ｂ）に示すように断面が略長方形となる形状に形成されている。従って、二次元断層画像で確認されるステントＳは、図１（Ｂ）に示すように、長方形の線状部分断面が円周状に配置された形となる。これ以降、ステントＳとして二次元断層画像に写る長方形の外周部分をステントエッジＳｅと呼び、ステントエッジＳｅの内面部分をインナーエッジＳｉと呼び、ステントエッジＳｅの外面部分をアウターエッジＳｏと呼び、ステントエッジＳｅの側面部分をサイドエッジＳｓと呼ぶ。
【００１６】
図１（Ｃ）は、参考用の図面であり、金属製ステントＺを同じ様に撮像した二次元断層画像を示す。図示するように、金属製ステントＺが赤外線を全て反射するため、金属製ステントＺの外側が暗く表示されている。
【００１７】
すなわち、金属製ステントＺは、図１（Ｃ）に示すようにコントラストが明瞭に現われる金属製ステントＺではなく、図１（Ｂ）に示すようにステントＳの外側の血管Ｂも高輝度に検出されるような生体吸収性のステントＳの位置を検出する。
【００１８】
本発明者らは、このようなデータについて鋭意研究した。その結果、生体吸収性のステントＳを精度よく検出する方法と、装着率を精度よく評価する方法を発明した。
【００１９】
本発明の検出方法は、大別すると、血管内壁境界の検出と、ステントのエッジ部の検出で構成される。血管内壁境界の検出では、血管内壁境界検出用の処理で血管内壁境界を検出し、これによって同時に検出されるステントエッジ部分を除外して、血管内壁境界を求める。ステントのエッジ部の検出では、検出数が少なくともステントエッジである可能性の高い検出点を求める高確度検出と、検出数が多くなるがノイズも含まれる低確度検出を行う。そして、高確度検出によって求めた検出点を利用して、低確度検出の中からステントエッジと判定できる点を抽出することで、検出点の数と精度を高める。
【００２０】
以下、本発明の一実施形態を図面と共に説明する。  
図２は、ステント画像表示システム１のシステム構成を示すブロック図である。ステント画像表示システム１は、検出装置３と、画像処理装置５とで構成されている。このステント画像表示システム１は、人体の管状の部分（血管、気管、食道、十二指腸、大腸、胆道など）の断層画像を得るものとすることができ、この実施例では血管の断層画像を得るものについて説明する。
【００２１】
検出装置３は、光源１１、分光器１２、スキャニング部１３、リファレンス部１４、検出器１５、増幅器１６、信号処理部１７、およびデータ出力部１８を備えている。
【００２２】
光源１１は、近赤外線による光信号を発振する。分光器１２は、光源１１の光信号を分光する。スキャニング部１３は、分光器１２を介して供給される光信号をプローブで９０°反射し、供給される光信号と垂直方向に３６０°回転してスキャニングし、対象物からの反射光により対象物の内部の層構造を示す二次元情報を取得する。これを軸方向に移動して多層構造を成す複数の二次元情報を取得する。リファレンス部１４は、リファレンスミラーを備えている。このリファレンスミラーから分光器１２までの光学距離と、スキャニング部１３のスキャニングミラーから分光器１２までの光学距離は、等しい距離となっている。検出器１５は、反射光を検出して検出信号を得る。増幅器１６は、検出器１５で検出した検出信号を増幅する。信号処理部１７は、検出信号を信号処理して検出データ５１（走査データ）に変換する。データ出力部１８は、検出データ５１を画像処理装置５等の外部機器に出力する。
【００２３】
検出データ５１は、血管組織等により近赤外線が反射した反射光を利用した解析による半径方向の輝度データであり、ステントが留置されている血管内部から半径方向に検出したラインデータを血管全周について軸方向へ所定範囲（所定ページ数分）集めた走査データである。ラインデータは、半径方向の各深度（プローブ中心からの距離）の輝度データである。３６０°分のラインデータが１ページ分のデータ（１断層データ）となり、この１ページ分のデータが軸方向へ複数（複数ページ分）集まって走査データが構成されている。従って、１ページ分のデータからステントを含む血管の二次元の断層画像を得ることができ、軸方向の任意の位置を指定することで該当ページの二次元の断層画像を得ることができる。
【００２４】
画像処理装置５はコンピュータで構成されている。この画像処理装置５は、ハードウェアとして、各種制御と各種演算を実行する制御部３０、データやプログラムを記憶する記憶部５０、画像を表示するディスプレイ等の表示部５６、入力操作を受け付けるマウスおよびキーボード等の入力部５７、および、ＣＤ−ＲＯＭ等の記録媒体５９に対して情報を読み書きする媒体処理部５８を備えている。制御部３０は、記録媒体５９に記録されたステント検出表示プログラム５２等の各種プログラムを媒体処理部５８から読み込み記憶部５０にインストールして、インストールした各種プログラムを実行することができる。検出装置３から検出データ５１を取得して記憶部５０に記憶する制御部３０は、データ取得手段として機能する。
【００２５】
制御部３０は、記憶部５０に記憶されたステント検出表示プログラム５２により、輝度平滑化部３１、検出機器除外部３２、内壁検出部３３（血管内壁境界検出手段）、内壁ノイズ除外部３４（ステントエッジ除外手段）、ステントエッジ検出部３５（ステント検出手段）、ステント精度向上部３６、データ保存部３７、ステント厚集計部３８、ステントエッジ補充部３９（ステントエッジ補充手段）、線形補間部４０（ステントエッジ補間手段）、平滑化部４１、ステント厚補正部４２（ステント厚補正手段）、血管面積算出部４３、ステント面積算出部４４、装着率算出部４５（距離算出手段及び装着率算出手段）、及びデータ保存部４６として機能する。
【００２６】
記憶部５０は、検出データ５１、ステント検出表示プログラム５２、テンプレートデータ５３、検出済データ５４、及び装着率データ５５等、各種のデータとプログラムを記憶している。検出データ５１は、検出装置３から受信したか、媒体処理部５８により記録媒体５９から読み取ったものである。
【００２７】
以下、制御部３０内の各部が実行する動作について、図３〜図６を併用して詳細に説明する。
【００２８】
図３は、検出データ５１から血管内壁境界とステントエッジを検出する様子を説明する説明図である。図３（Ａ）は、検出データ５１の一部であるラインデータ２１を表示するグラフ図である。図３（Ｂ）〜図３（Ｆ）は、ＯＣＴ輝度分布による二次元断層画像である検出データ表示画像Ｇ１の画像図である。図３（Ｂ）は検出データ５１をそのまま示す。図３（Ｃ）は血管内壁境界点候補７１を検出した状態を示す。図３（Ｄ）は血管内壁境界点候補７１からサイドエッジ点７１ｂを除外した状態を示す。図３（Ｅ）は高確度ステントエッジ点７２とステントエッジ候補点７３を検出した状態を示す。図３（Ｆ）は精度向上後のステントエッジ点７４の状態を示す。
【００２９】
図４は、ステントエッジ点７４の検出精度を向上するアルゴリズムを説明する説明図である。図４（Ａ）〜図４（Ｃ）は、それぞれ二次元断層画像におけるステント部分を一部拡大した拡大図であり、高確度ステントエッジ点７２とステントエッジ候補点７３からステントエッジ点７４を求めていく様子を示している。
【００３０】
図５は、ステント装着率を算出する様子を説明する説明図である。図５（Ａ１）は、注目ページの１つ後ろであるｎ−１番目の二次元断層画像Ｇ（ｎ−１）を示す画像図である。図５（Ａ２）は、注目ページであるｎ番目の二次元断層画像Ｇ（ｎ）を示す画像図である。図５（Ａ３）は、注目ページの１つ前であるｎ＋１番目の二次元断層画像Ｇ（ｎ＋１）を示す画像図である。図５（Ｂ）は、前後の二次元断層画像を用いてステントエッジ点７４を補充した状態を示す画像図である。図５（Ｃ）は、ステントＳの厚みを考慮したステント補間曲線８１を示す画像図である。図５（Ｄ）は、血管内壁境界（血管内壁境界点７１ａ）の曲線とステントとして検出した点（ステントエッジ点７４）との距離を示す距離データを集計したグラフ図である。図５（Ｅ）は、距離データを短い距離から並び替えたグラフ図である。図５（Ｆ）は、ｒθ座標系でステントエッジの補間状態を示す画像図である。図５（Ｇ）は、ＸＹ座標系でステントエッジの補間状態を示す画像図である。
【００３１】
図６は、ステントとステント装着率を表示する画面を説明する説明図である。図６（Ａ）は、ステントＳ全体と、ステントＳより向こう側の血管内壁Ｎを血管の外から見た状態を示す画面構成図である。図６（Ｂ）は、ステントＳと血管内壁Ｎの縦断面を示す画面構成図である。図６（Ｃ）は、ステントＳの内側からステントＳと血管内壁Ｎを見た状態を示す画面構成図である。図６（Ｄ）は、ステントＳのみを内側から見た状態を示す画面構成図である。図６（Ｅ）及び図６（Ｆ）は、血管の伸びる方向に沿って縦断したステントＳを見た状態を示す画面構成図である。図６（Ｇ）、図６（Ｈ）、図６（Ｉ）は、図６（Ｊ）に示す装着率グラフ９０で指定された位置の二次元断層画像である検出データ表示画像Ｇ１を示す画面構成図である。図６（Ｊ）は、装着率グラフ９０を表示する画面を示す画面構成図である。
【００３２】
［平滑化処理］
図２に示す輝度平滑化部３１は、ラインデータの平滑化を行う。この平滑化は、平滑化後のラインデータが、輝度の立ち上がりが鈍すぎず、かつ、急激に値が低下するノイズを抑制する形になるように行うことが望ましい。具体的には、注目点を含めた複数のデータ（例えば注目点の前後５個ずつで計１１個のデータ）を用いた移動平均を求めることで平滑化する。このように平滑化したラインデータによる画像は、内壁検出部３３による血管内壁境界の検出でのみ使用される。なお、平滑化せずに元のラインデータを使って血管内壁境界を検出することも可能である。この場合は、輝度平滑化部３１を省略して平滑化処理を実行しない構成とすると良い。
【００３３】
図３（Ａ）は、縦軸を輝度、横軸を半径方向Ｗ２（図１（Ａ）参照）の距離として、ラインデータ２１を表示するグラフである。図示するように、加工していないラインデータ２１のグラフが、輝度平滑化部３１の平滑化によって、平滑化後データ２２のグラフとなる。図示するように、平滑化後データ２２のグラフは、急激な立ち上がりや急激な低下を抑制したなだらかな形状になる。なお、ラインデータ２１および平滑化後データ２２のうち、範囲２４は、ステントＳの反射によって輝度が上がっている部分であり、それより半径方向外側（図示右側）で幅広の範囲２５は、血管壁での反射により輝度が上がっている部分である。
【００３４】
［検出機器除外処理］
検出機器除外部３２は、図３（Ｂ）に示す検出データ表示画像Ｇ１に映っている検出機器（カテーテルＫおよびガイドワイヤＧＹ）を除外するべく、カテーテルＫの外周領域およびガイドワイヤＧＹに相当する領域を検出データから除外する。
【００３５】
詳述すると、検出機器除外部３２は、スケール決定のためのキャリブレーションポイント６２を１枚の二次元断層画像内で３か所利用して円領域を作成し、この円領域の範囲を検査領域から除外する。これにより、カテーテルＫを除外することができる。なお、キャリブレーションポイント６２は、画面上でのマウスクリック等でカテーテルＫの外周付近にて手動選択された３点を基準に円を作成する、プローブ中心６１から所定距離の位置としてカテーテルＫの外周位置より少し外側を予め設定する等、適宜の方法によって定めることができる。
【００３６】
また、検出機器除外部３２は、二次元断層画像の画面上で最も輝度が高く、後方に閾値の低い領域が続く性質を利用してガイドワイヤＧＹの領域を検出し、検出したガイドワイヤＧＹの領域を利用して除外する。具体的には、予め定めたガイドワイヤ判定閾値以上の輝度値（検出値）をもつ点のうち、当該点から所定値分だけ半径方向外側の点（少し外側の点）から後ろすべてが前記ガイドワイヤ判定閾値以下になるという条件を満たした点を検索する。そして、この条件を満たす点の中で最も輝度値が高い点をガイドワイヤ基準点６３（図３（Ｂ）参照）とし、このガイドワイヤ基準点６３を基準にガイドワイヤＧＹ部に相当する領域を除去する。ガイドワイヤ基準点６３の探索範囲をプローブ周辺に絞ることで、探索時間の削減と誤検出の低減を両立させることができる。
【００３７】
このとき用いるガイドワイヤ判定閾値は、低輝度で暗く視認される背景領域Ｅに存在する背景ノイズの輝度値よりも大きい（明るい）値とすることが好ましい。  
また、ガイドワイヤＧＹ部に相当する領域は、ガイドワイヤ基準点６３からガイドワイヤ除外用距離だけ半径方向外側の点を中心とし、予め定めたガイドワイヤ除外用半径を半径とする円領域６４とすることができる。これに限らず、ガイドワイヤＧＹ部に相当する領域は、ガイドワイヤ基準点６３が存在する角度の、前後一定角度内の扇形領域とするなど、適宜の方法で決定することができる。
【００３８】
なお、後述する内壁検出部３３又は／及びステントエッジ検出部３５でテンプレートを用いて判定する構成とする場合、検出機器除外部３２による検出機器の除外が完了すると、テンプレート選択部４６が動作する構成とすると良い。この場合、テンプレート選択部４６は、血管内壁境界検出用のテンプレートと、ステントエッジ検出用のテンプレートを、テンプレートデータ５３の中から選択する。これにより、検出装置３の種類やプローブＰ（図１（Ａ）参照）の種類等に応じて、内壁検出部３３又は／及びステントエッジ検出部３５が適切なテンプレートを用いて判定できるようにしている。テンプレートを用いずに血管内壁境界検出やステントエッジ検出を行う構成とする場合には、このテンプレート選択部４６とテンプレートデータ５３を省略すればよい。
【００３９】
［血管内壁境界検出処理］
内壁検出部３３は、平滑化後データ２２から、血管Ｂの内側境界である血管内壁境界６０（図３（Ｂ）参照）を検出する。詳述すると、内壁検出部３３は、まず、図３（Ａ）に示した平滑化後データ２２を半径方向中心から外側方向へ輝度値を調べる。内壁検出部３３は、輝度値が立ち上がる箇所を基準として、予め設定された内壁判定用閾値以上の輝度値の領域が、予め設定された内壁判定用長さ以上続くことを判定条件とする。ここで内壁判定用長さ以上続くこととは、条件を満たすための所定量として内壁判定用長さの全ての点を設定していることを指している。この判定条件に該当する場合に、内壁検出部３３は、立ち上がり箇所またはその近傍点を血管内壁境界点候補７１（図３（Ｃ）参照）と判断する。立ち上がり箇所の近傍点を血管内壁境界点候補７１とする場合は、立ち上がり箇所から所定画素だけ中心側の位置とする、あるいは所定画素だけ外側の位置とするなど、適宜の規則によって定めればよい。
【００４０】
前記内壁判定用長さは、ステントＳのサイドエッジＳｓの幅（若しくはステントＳの半径方向の厚み）より長く設定されている。これにより、ステントエッジＳｅを血管内壁境界であるとして誤検知することを抑制している。
【００４１】
前記輝度値が立ち上がる箇所は、例えば所定範囲の内側の輝度値と外側の輝度値が予め定めた立ち上がり判定値以上の箇所とするなど、適宜の方法によって定める。この判定によって内壁検出部３３は、ステントの有無によらず血管内壁境界を検出することができる。
【００４２】
このように求めた段階の血管内壁境界点候補７１は、図３（Ｃ）に示すように、血管内壁境界点７１ａに加えてステントのサイドエッジ点７１ｂが含まれている。
【００４３】
なお、内壁検出部３３による血管内壁境界点候補７１の検出は、平滑化後データ２２ではなく、平滑化前のラインデータ２１を用いて行うこともできる。この場合、例えば、輝度値が立ち上がる箇所を基準として、基準より半径方向外側の所定長さの範囲内に、閾値を超えるデータ点が相当量以上存在する場合に、基準の位置を血管内壁境界とすることができる。この場合、例えば所定長さが４０で相当量が８０％であれば、基準から一つずつデータ点の輝度値を調べていき、閾値を下回るデータ点の数が全体の２０％以下（この例では８個以下）であれば血管内壁境界と判定するとよい。
【００４４】
相当量（この例では８）を超えた場合は、基準を左右の一方（例えば右）へずらして同じ判定を実行する。なお、この例では長さ１がおよそ４μｍに相当するが、これに限らず、画像解像度に応じて相当量等を適宜の値に設定すればよい。
【００４５】
また、血管内壁境界点候補７１の検出は、テンプレートデータ５３を用いて行う構成としてもよい。この場合、例えば、同じ内壁判定用閾値を内壁判定用長さまで続けたテンプレートとする、あるいは半径方向中心側から外側へ向かって少しずつ輝度値が下がり、かつ、ステントＳのサイドエッジＳｓの幅より長く設定したテンプレートとする等、適宜の構成とすることができる。
【００４６】
［内壁ノイズ除外処理］
内壁ノイズ除外部３４は、ステントＳのサイドエッジ点７１ｂを判定し、血管内壁境界点候補７１からサイドエッジ点７１ｂを除外する。
【００４７】
具体的には、まず、血管内壁境界点候補７１から移動平均によって血管壁形状を決める。そして、この血管壁形状を基準にして元の血管内壁境界点候補７１を調査し、血管内壁境界点候補７１のうち血管壁形状からノイズ判定距離以上離れている箇所を除去する。このノイズ判定距離は、予め定めた所定の値とすることができる。
【００４８】
これにより、二次元断層画像においてステントＳの両サイドに存在し、半径方向に長さを有するサイドエッジＳｓが、血管内壁として誤検知される問題を解消できる。従って、図３（Ｄ）に示すように、サイドエッジ点７１ｂを除外した血管内壁境界点７１ａを得ることができる。
【００４９】
なお、上記の方法に限らず、例えば、血管内壁境界点候補７１に対して半径方向と垂直な近傍点を調べ、この近傍点の輝度が低い場合はサイドエッジ点７１ｂと判定して除去する方法を採用してもよい。
【００５０】
［ステントエッジ検出処理］
ステントエッジ検出部３５は、二次元断層画像における前記血管内壁境界点候補７１の内側（血管内壁境界の内側）を検査領域として、ステントエッジＳｅを検出する。  
ここで、ステントＳが存在する場合、最初にステントエッジＳｅの立ち上がりが輝度分布として現れる特性がある。この立ち上がりが血管内壁境界でない場合は、ステントエッジＳｅである。従って、この立ち上がりが存在し、かつ、当該立ち上がりが血管内壁境界によるものではないものを検出する。これにより、ステントエッジＳｅとして、主に内側にあるインナーエッジＳｉを検出できる。なお、血管内壁境界の外側にはステントエッジが存在しないため、血管内壁境界点候補７１の外側を除外してステントエッジを検出する。これにより誤検出を抑制できる。
【００５１】
ステントエッジ検出部３５は、高確度閾値（ステントエッジ基準値）を超える輝度値の点を高確度ステントエッジ点７２（図３（Ｅ）参照）として検出する高確度検出処理を実行する。さらに、ステントエッジ検出部３５は、高輝度閾値で何も検出できなかった角度について、高確度閾値より低い値に設定されている低確度閾値（ステントエッジ候補値）を超える輝度値の点をステントエッジ候補点７３（図３（Ｅ）参照）として検出する低確度検出処理を実行する。
【００５２】
前記高確度閾値は、ステントエッジＳｅの四角い形状の角部分Ｓａ（図３（Ｂ）参照）を検出できる程度（角部分Ｓａの輝度値より低い値）で、できるだけ大きな値（高輝度）に設定する。これにより、角部分Ｓａが比較的明るく写る傾向を利用してステントエッジＳｅである確実性の高い点を検出できる。  
前記低確度閾値は、背景ノイズよりも大きく（明るく）、かつ、できるだけ小さな値（低い輝度値）に設定する。
【００５３】
このように２種類の閾値を用いて検出することで、高確度閾値では検出数が少ないものの信頼性の高い検出を行い、低確度閾値では信頼性が低いものの数多く検出することができる。
【００５４】
なお、この方法に限らず、ステントエッジ検出部３５は、例えば、テンプレートデータ５３に記憶されているステント検出用のテンプレートを用いてステントエッジＳｅを検出してもよい。この場合、輝度の立ち上がりを基準として、設定した閾値以上の領域が半径方向に一定幅あり、その後方で輝度が低下して輝度の低い領域が半径方向に一定幅（ステント厚さ相当）存在し、再び高い輝度分布となれば、ステントエッジＳｅと判断する。このようにしても、高確度度閾値と低確度閾値を使う場合と同様に信頼性を向上させることができる。
【００５５】
［ステント精度向上処理］
ステント精度向上部３６は、ステントエッジ検出部３５により高確度閾値で検出した高確度ステントエッジ点７２と、ステントエッジ検出部３５により低確度閾値で検出したステントエッジ候補点７３を用いて、ステントエッジの検出精度を向上する処理を実行する。これにより、図３（Ｆ）に示すように、高確度で検出数の多いステントエッジ点７４を得ることができる。
【００５６】
詳述すると、まず、上述したステントエッジ検出部３５による検出結果は、二次元断層画像における１つのステントエッジＳｅ近辺を拡大して示す図４（Ａ）に示すようになっている。つまり、ステントエッジ検出部３５による検出結果には、少ない数だがステントエッジである可能性が非常に高い高確度ステントエッジ点７２と、ノイズの可能性もあるが数多く検出しているステントエッジ候補点７３が存在している。
【００５７】
ステント精度向上部３６は、図４（Ａ）に示すように、高確度ステントエッジ点７２をステントエッジ点７４と確定する確定処理とともに、高確度ステントエッジ点７２を調査基準点７５とする基準点追加処理を実行する。
【００５８】
ステント精度向上部３６は、調査基準点７５の近傍部７９（予め定められた所定範囲）内に存在するステントエッジ候補点７３を検出する候補点追加処理を実行する。
【００５９】
ステント精度向上部３６は、図４（Ｂ）に示すように、検出したステントエッジ候補点７３をステントエッジ点７４と確定すると確定処理ともに、検出したステントエッジ候補点７３を調査基準点７５とする基準点追加処理を実行する。
【００６０】
このように、ステント精度向上部３６は、確定処理と基準点追加処理を実行し、候補点追加処理を実行する一連の処理を繰り返す。これにより、図４（Ｂ）から図４（Ｃ）に示すように、ステントエッジ点７４が増加していき、調査基準点７５が移動していく。
【００６１】
そして、一連の処理を繰り返す毎に移動していく近傍部７９内にステントエッジ候補点７３が存在しなくなると、一連の処理を終了する。この終了時点で、図４（Ｄ）に示すように、高確度で数の多いステントエッジ点７４が得られる。
【００６２】
データ保存部３７は、内壁ノイズ除外部３４による処理後に得られた血管内壁境界点７１ａを血管内壁境界データとし、ステント精度向上部３６による処理後に得られたステントエッジ点７４をステントデータとして、この血管内壁境界データおよびステントデータを検出済みデータ５４として記憶部５０に保存する。
【００６３】
［ステント厚集計処理］
これまでに検出しているステントエッジ点７４がインナーエッジＳｉであることから、二次元断層画像においてステントＳの厚み分だけ外側に補正した補正後ステントエッジ点を算出する必要がある。このために、ステント厚集計部３８は、まずステント厚を集計する。
【００６４】
詳述すると、ステント厚集計部３８は、ステントエッジ点７４から血管内壁境界点７１ａまでの半径方向距離を計算する。これを検出データ５１として記録されているステント装着されたＯＣＴ画像すべてにわたって集計する。そして、ステント厚集計部３８は、図５（Ｄ）に示すように集計された距離データを、図５（Ｅ）に示すように短い距離から順に並び替え、その中央値を補正量（ステント厚さ）とする。
【００６５】
［ステントエッジ補充処理］
ステントエッジ補充部３９は、プローブの軸方向前後の二次元断層画像を用いて、対象としている二次元断層画像に映っていないステントエッジＳｅを前後の二次元断層画像を用いて補充する。詳述すると、ステントエッジ補充部３９は、図５（Ａ１），図５（Ａ２），図５（Ａ３）の説明図に示すように、注目する二次元断層画像Ｇ（ｎ）をｎ枚目とすると、その前の画像であるｎ＋１枚目の二次元断層画像Ｇ（ｎ＋１）から検出したステントエッジ点７４と、その後の画像であるｎ−１枚目の二次元断層画像Ｇ（ｎ−１）から検出したステントエッジ点７４を注目画像に追加する。このとき、同じ角度θに複数のステントエッジ点７４が重複して存在すれば、同じ角度θに１つのステントエッジ点７４となるように次の優先順位で決定する。
【００６６】
（１）角度θのｎ枚目の二次元断層画像Ｇ（ｎ）にステントエッジ点７４が存在する場合。  
ｎ枚目の二次元断層画像Ｇ（ｎ）にステントエッジ点７４を優先して採用する。
【００６７】
（２）角度θのｎ枚目の二次元断層画像Ｇ（ｎ）にステントエッジ点７４が存在しない場合。  
前後の二次元断層画像Ｇ（ｎ＋１），Ｇ（ｎ−１）を用いて次の（２−１）か（２−２）を採用する。
【００６８】
（２−１）角度θのｎ＋１枚目とｎ−１枚目の両方にステントエッジ点７４が存在する場合。  
角度θのｎ＋１枚目のステントエッジ点７４とｎ−１枚目のステントエッジ点７４の中間位置をｎ枚目のステントエッジ点７４とする。
【００６９】
（２−２）角度θのｎ＋１枚目とｎ−１枚目のどちらか一方にのみステントエッジ点７４が存在する場合。  
存在するステントエッジ点７４をｎ枚目のステントエッジ点７４とする。
【００７０】
これにより、ステントエッジ点７４が広い範囲で検出されていない部分であっても、図５（Ｂ）に示すように、精度よくステントエッジＳｅの形状を把握することができ、信頼性を高めることができる。
【００７１】
［線形補間処理］
線形補間部４０は、補正後ステントエッジ点を用いて二次元断層画像におけるｒθ座標系にて線形補間を行う。これにより、図５（Ｆ）に示すように、補正後ステントエッジ点７６が存在しない角度にステントエッジ補間点７７が得られ、一枚の二次元断層画像における全ての角度θに補正後ステントエッジ点７６またはステントエッジ補間点７７が存在する状態となる。線形補間には、一般的な線形補間用の計算処理を用いればよい。
【００７２】
［平滑化処理］
平滑化部４１は、図５（Ｆ）に示すｒθ座標系で、前記線形補間後の補正後ステントエッジ点を平滑化する。この平滑化は、注目点の前後（二次元断層画像で半径方向の前後）所定数（例えば５点）の移動平均フィルタを用いて実行される。これにより、図５（Ｇ）のＸＹ座標系に示すようなステント補間曲線８１を得ることができる。
【００７３】
［ステント厚補正処理］
ステント厚補正部４２は、ステント厚に基づいてステント補間曲線８１を補正する。詳述すると、ステント装着直後はステント部が血管壁内に埋没することはないため、ステント補間曲線が血管内壁曲線からはみ出さないように、補正後ステントエッジ点が血管内壁境界点７１ａより外側とならない補正量とする。  
これにより、二次元断層画像上でアウターエッジＳｏ（図５（Ａ）参照）に沿ったステント補間曲線を作成することが可能となる。
【００７４】
なお、ステント厚補正部４２は、この方法に限らず、様々な方法によってステント厚に応じた補正を行う構成とすることができる。例えば、製品データから得られたステントの厚さをＯＣＴ解像度に反映させた補正量として、外側へ位置変更する長さ（ピクセル数）を決定し、この外側へ位置変更する長さを補正量として補正後ステントエッジ点を求めることができる。
【００７５】
［血管面積算出処理］
血管面積算出部４３は、二次元断層画像におけるｒθ座標系で、血管内壁境界点７１ａ内の面積（血管内面積）を求める。この面積は、プローブ中心点と２つの血管内壁境界点７１ａで構成される三角形の微小面積を角度毎に算出し、この微小面積を合算して得ることができる。
【００７６】
［ステント面積算出処理］
ステント面積算出部４４は、二次元断層画像におけるｒθ座標系で、ステント補間曲線８１内の面積（ステント面積）を求める。この面積は、プローブ中心点と２つのステント補間曲線８１内の点（補正後ステントエッジ点７６またはステントエッジ補間点７７）で構成される三角形の微小面積を角度毎に算出し、この微小面積を合算して得ることができる。
【００７７】
［装着率算出処理］
装着率算出部４５は、１ページの二次元断層画像内で血管内面積とステント面積との差からステント装着率を算出する処理を、全てのページについて実行する。ステント装着率は、血管内面積とステント面積が完全に一致すれば１００％であり、不一致であれば面積差が大きくなるほどステント装着率が低くなる。
【００７８】
データ保存部４６は、算出したステント装着率を装着率データ５５として記憶する。
【００７９】
三次元表示部４７、二次元表示部４８（二次元断層画像表示手段）、および表示位置調整部４９（装着率グラフ表示手段及び位置指定入力許容手段）は、検出データ５１、検出済データ５４、および装着率データ５５を記憶部５０から読み出し、それぞれ三次元画像や二次元画像を表示部５６に表示する。  
三次元表示部４７は、検出済データ５４の血管内壁境界データおよびステントデータを半径方向および軸方向に配置して三次元画像を再構築した三次元画像を表示する。この三次元画像は、任意の方向から構築でき、図６（Ａ）〜図６（Ｆ）に示すように、様々な形で表示できる。
【００８０】
二次元表示部４８は、図６（Ｇ）〜図６（Ｉ）に示すように、検出データ５１における軸方向の各位置（ページ番号）での全周の輝度データ（ラインデータ）を３６０°回転配置した二次元断層画像を検出データ表示画像Ｇ１として表示部５６に表示する。また、二次元表示部４８は、ステントデータ５４に記憶されているデータのうち、軸方向の同じ位置（ページ番号）のデータでステントが存在している位置に、図３（Ｅ）に示したようにステント画像（例えば赤色の点や白色の点等の色または輝度の異なる画像）を重ねて表示する。これにより、血管の二次元断層画像（二次元表示部４８）上に、血管内に留置されているステントがよりはっきりと表示される。
【００８１】
表示位置調整部４９は、図６（Ｊ）に示す装着率グラフ９０を表示する。この装着率グラフ９０は、横軸をページ数、縦軸を装着率としたグラフである。図に示す装着率が２０％以上も急激に低下している装着率低下部９１，９２は、血管の分岐部分であり、装着率が１０％程度低下している装着率低下部９３は、ステントの装着状態の悪い部分である。この装着率グラフ９０の上で、マウスカーソルをページ数方向（図示左右方向）に動かしてクリックすると、二次元表示部４８により表示する二次元断層画像のページを選択されたページとする。図６（Ｇ）は装着率低下部９１での二次元断層画像であり、図６（Ｈ）は装着率低下部９２での二次元断層画像であり、図６（Ｉ）は装着率低下部９３での二次元断層画像である。  
このように、グラフから俯瞰的に血管分岐やステントの装着状態の悪い部分がわかる。
【００８２】
なお、ステント検出表示プログラム５２のうち、輝度平滑化部３１からデータ保存部３７まではステント検出処理プログラムであり、ステントエッジ補充部３９からデータ保存部４６までが装着率算出処理プログラムである。そして、ステント検出表示プログラム５２による一連のアルゴリズムは、現在の一般的のパソコンで３０秒程度で実行可能できるため、手術中に確認することができる。  
このように構成された画像処理装置５は、ステント検出装置およびステント画像表示装置として機能する。
【００８３】
以上の構成と動作により、検出用の光等を一部透過するステントを精度よく検出できる。また、精度よく検出したステントを三次元画像として視覚化できるため、生体吸収性のステントの装着状態を手術中に任意の角度から観察することができる。従って、術者は、金属ステントよりも生体負荷が小さい生体吸収性のステントを、血管内で適切な装着状態に留置することを確実に実施できる。
【００８４】
また、高確度検出処理と低確度検出処理を利用した精度向上処理を行うことで、ステントである確度の高い位置を数多く検出できる。これにより、検出が難しい生体吸収性のステントを精度よく検出することができる。
【００８５】
また、血管内壁境界点候補からステントエッジ部分を除外して血管内壁境界を求めるため、血管内壁の形状を精度よく検出することができる。
【００８６】
また、ステントの厚みを考慮してステント装着率を求めるため、ステントが血管内壁に接触している点は装着率を１００％（若しくはほぼ１００％）とすることができる。従って、ステント装着率を精度よく求めることができる。
【００８７】
また、ｒθ座標でステントエッジ点が存在しない角度については、前後の二次元断層画像を参照してステントエッジ点を補充する。これにより、線形補間を行う距離を短くすることができ、実際のステントエッジの位置に近い値を用いることができる。従って、ステントエッジと血管内壁境界との距離を精度よく求めることができる。
【００８８】
また、ステントエッジを補充してもまだステントエッジ点の存在しない角度については、ｒθ座標上で線形補間によりステントエッジを補間するため、ステントエッジと血管内壁境界との距離を高い推定精度で算出することができる。
【００８９】
また、装着率グラフ９０上でマウスクリックやタッチパネルのタッチ等の入力操作によって指定された位置の二次元断層画像を表示するため、装着率の低い部分がどのようになっているのかを、迅速かつ的確に確認することができる。
【００９０】
また、術者がステントの展開状態を手術中に確認できるため、術者の治療成績に大きく貢献することができる。
【００９１】
また、血管内壁境界の検出の際に、輝度平滑化部３１によって平滑化したデータを用いるため、検出精度を向上させることができる。すなわち、検出データ５１をそのまま利用すると、輝度値の振れ幅が大きくなるが、平滑化することによって極端な輝度値の触れがなくなり、精度良い検出が可能となる。
【００９２】
また、ステントの装着率を算出するため、ステントの装着状態を定量評価することができる。  
また、装着率計算のための面積算出前にステント補間曲線８１と血管内壁境界曲線を平滑化しておくことで、装着率の計算精度を向上させることができる。
【００９３】
なお、吸収性のステントＳの線状部分の内部（略長方形に写るエッジ部の内側）は、エッジ部に比べて、ＯＣＴ画像上で輝度値が暗く映る。この暗い領域を検出することによって経時的なステント残存量を算出することができる。具体的には、ラインデータにおける一方向のステントの線状部分内部の厚さ検出を実行し、これを全方向で検出すれば、二次元断層画像毎のステント線状部分内部面積を算出できる。そして、この二次元断層画像を積層した積層画像からステント体積も算出できる。この方法によってステント吸収過程を追跡可能になり、経過観察として有用である。
【００９４】
この発明は、上述の実施形態の構成のみに限定されるものではなく、多くの実施の形態を得ることができる。
【産業上の利用可能性】
【００９５】
この発明は、狭窄した血管を拡張するステント治療後のステントの位置や大きさ、広がりを確認できるステント画像表示装置に利用できる。他にも、人体の管状の部分（血管、気管、食道、十二指腸、大腸、胆道など）に留置したステントを検出し表示する装置に利用することができる。
【符号の説明】
【００９６】
５…画像処理装置
２１…ラインデータ
３０…制御部
３３…内壁検出部
３４…内壁ノイズ除外部
３５…ステントエッジ検出部
３６…ステント精度向上部
３９…ステントエッジ補充部
４０…線形補間部
４２…ステント厚補正部
４５…装着率算出部
４８…二次元表示部
４９…表示位置調整部
５１…検出データ
７１ａ…血管内壁境界点
７１ｂ…サイドエッジ点
７２…高確度ステントエッジ点
７４…ステントエッジ点
７７…ステントエッジ補間点
Ｂ…血管
Ｇ１…検出データ表示画像
Ｐ…プローブ
Ｓ…ステント
Ｗ１…軸方向
Ｗ２…半径方向
【図２】
2015150369.tif 000003
【図４】
2015150369.tif 000004
【図１】
2015150369.tif 000005
【図３】
2015150369.tif 000006
【図５】
2015150369.tif 000007
【図６】
2015150369.tif 000008